(57)【要約】【課題】  粘度を有するニコチン低減剤を、目薬用の容器でタバコのフィルター部へ滴下すると、液だれが生じ容器が汚れたり、フィルター部へ均一に浸潤させることが困難であるといった問題が生じていた。【解決の方法】  粘度を有するニコチン低減剤を密閉された容器へ充填し、該容器を押すことにより、容器内に設けられた管を通じてニコチン低減剤が塗布部へ排出され、該塗布部からタバコのフィルター部へ均一に浸潤させることが可能となる。このニコチン低減剤用容器を使用することで、液だれや不均一な浸潤といった問題が改善された。【選択図】  図１
0003104182.tif 000002
【実用新案登録請求の範囲】
【請求項１】
密閉された容器内に液体を充填し、該液体に浸漬するように管を挿入し、該管が塗布部に接続された構造を有するニコチン低減剤用容器。
【請求項２】
塗布部が、スポンジ状、突起状、受け皿状の何れかである請求項１に記載のニコチン低減剤用容器。
【考案の詳細な説明】
【技術分野】
【０００１】
本考案は、ニコチン低減剤が充填された容器に関し、さらに詳しくは、容器を押さえるだけで容器内に充填されているニコチン低減剤の適量が取り出せる、ニコチン低減剤用容器に関する。
【背景技術】
【０００２】
従来、煙草の主流煙中に含まれるニコチン、タール、一酸化炭素等の有害性が指摘されている成分を除去するために、様々な方法が考案されている。
【０００３】
タバコの煙に含まれるニコチンは、水に溶けやすい性質を有している点に着目し、タバコの煙を水に接触させ、吸入するタバコの煙に含まれるニコチン量を低減させる方法（特許文献１〜４）が開示されている。また、タバコのフィルターにシクロデキストリンを含有したもの（特許文献５）、フィルターへ装着するパイプに多孔性重合体を用いる等の提案（特許文献６、７）や、吸水性ポリマーをタバコのフィルター部に添加したもの（特許文献８）等が開示されている。
【０００４】
これらはいずれもタバコに何らかの器具を取り付けることによりニコチン量を低減させるものであるため、喫煙時にこれらの器具を使用するのは不便であった。
【０００５】
【特許文献１】特開昭４８−５３８７１号公報
【特許文献２】特開昭５０−１３０５７９号公報
【特許文献３】特開昭６０−１９６１８０号公報
【特許文献４】特開昭６２−１９８３７８号公報
【特許文献５】特開昭５１−３２７９９号公報
【特許文献６】特開昭６２−１７９３７６号公報
【特許文献７】特開昭４７−３０９００号公報
【特許文献８】特開平２−５３４５７号公報
【考案の開示】
【考案が解決しようとする課題】
【０００６】
本考案は、上記課題に鑑み、喫煙者自身が簡便にタバコの主流煙中に含まれるニコチン量を低減させる事ができるように、タバコのフィルター部へ浸潤させるだけでニコチン量を低減させることができる粘性を有する液状の剤を調製し、該剤をタバコのフィルター部へ簡便に浸潤させることができる容器を提供するものである。
【課題を解決するための手段】
【０００７】
上記目的を達成するための本考案に係るニコチン低減剤用容器は、タバコのフィルター部に浸潤させるだけでタバコの主流煙中に含まれるニコチンを低減することができるニコチン低減剤が充填された容器（１）と、該容器（１）内のニコチン低減剤（７）に浸漬するように設けられた管（６）と、該管（６）が塗布部（３）に接続された構造からなることを特徴とする。さらに、前記塗布部（３）がスポンジ状、突起状、受け皿状の何れかの構造を有するものである。
【考案の効果】
【０００８】
本考案に係るニコチン低減剤用容器を使用することにより、喫煙時に簡便にニコチン低減剤（７）をタバコのフィルター部へ浸潤させ、タバコの主流煙中に含まれるニコチンを低減させることができる。詳しくは、タバコのフィルター部を本考案に係るニコチン低減剤用容器の塗布部（３）へ押しつけた状態で、該容器（１）の側面を指で押すだけで、容器（１）内に充填されているニコチン低減剤（７）の適量を、塗布部（３）を通じてタバコのフィルター部へ簡便に浸潤させることができる。これにより、目薬の容器のような形状のもので生じていた液だれによる容器の汚れや、ニコチン低減剤が出過ぎるといった問題が改善された。
【考案を実施するための最良の形態】
【０００９】
本考案に係るニコチン低減剤を充填する容器（１）は、ポリエチレン、ポリプロピレン、ポリエチレンテレフタレートといった合成樹脂等、公知の素材を使用することができる。使用した際の容器の取り扱い、押しやすい適度な弾力を有している点から、容器の素材としてはポリエチレンが好ましい。容器の内容量は５〜５０ｍｌ程度が持ち運びには便利であるが、それ以上の容器を利用してもよい。その形状は、円柱形、楕円柱形等、任意の形状とすることができる。
【００１０】
管（６）は、その一端を塗布部台（５）へつなぎ、もう一端をニコチン低減剤（７）へ浸漬する。容器（１）と同様の素材を用いることができ、直径は３〜６ｍｍ程度が好ましい。管（６）を細くすると、容器（１）を少し押すだけでニコチン低減剤（７）が塗布部（３）へ出てくるが、その量は少なくなる。逆に管（６）を太くすると、容器（１）を強く押さないとニコチン低減剤（７）が塗布部（３）に出てこないこととなる。どの様な太さの管を使用するかは任意であるが、好ましくは直径５ｍｍ、管の内径が３ｍｍを例示することができる。
【００１１】
塗布部台（５）は、容器（１）の蓋（２）に設け、容器（１）の外部側に塗布部（３）を、内部側に管（６）を接続できる構造を有するものとする。塗布部（３）と塗布部台（５）には穴（４）が設けられ、該穴（４）を通じてニコチン低減剤（７）が排出される。塗布部台（５）への塗布部（３）の取り付けは、接着剤等により取り付けるか、或いは塗布部（３）が突起状又は受け皿状の場合は、塗布部台（５）と予め一体とした形状のものを成形してもよい。
【００１２】
塗布部（３）は、容器（１）内部のニコチン低減剤（７）が管（６）を通じて出てくる穴（４）があり、該穴（４）を覆うようにスポンジ、突起、受け皿の何れかの形状の塗布部（３）を設ける。容器（１）を押すことでこの塗布部（３）にニコチン低減剤（７）が出てきて、スポンジであればスポンジ内にニコチン低減剤（７）が十分に浸潤し、タバコのフィルター部に万遍なくニコチン低減剤（７）を接触させ浸潤させることができる。また、塗布部（３）が突起状である場合、フィルター部に突起部が若干突き刺さり、その部分を中心にフィルター部へニコチン低減剤（７）が浸潤していく。さらに塗布部（３）が受け皿状である場合は、受け皿の部分にニコチン低減剤（７）が溜まり、ニコチン低減剤（７）を漬けて直接フィルター部に浸潤させるものとなる。
【００１３】
本考案に係るニコチン低減剤用容器には、塗布部（３）全体を覆う構造を有するキャップ（８）を取り付けることが望ましい。塗布部（３）全体を覆う内蓋（９）を設け、また、塗布部（３）の周囲に液だれ防止用の枠（１０）を設けることで、容器（１）内に充填されているニコチン低減剤（７）の漏出や、使用時の液だれを防ぎ、ニコチン低減剤（７）の品質の維持、向上に寄与することができる。これらの形状は、塗布部（３）全体を隙間無く塞ぐ状態になる形状であれば特に制限はされない。
【００１４】
本考案に係るニコチン低減剤（７）は、増粘性を有する成分により粘度を有しており、当該低減剤をタバコのフィルター部へ０．３〜１ｍｌ程度浸潤させることにより、タバコの主流煙中に含まれるニコチン量の５０〜７０％をフィルター部にトラップすることができる。ニコチン低減剤（７）は使用する造粘成分によってその効果は異なるが、例えば水飴を主成分とし、粘度が１５００ｍＰａ・ｓとした場合、主流煙のニコチン量を５０〜７０％程度カットすることができる。
以下、本考案に係るニコチン低減剤用容器の好ましい代表的な実施形態を、図面に基づいて詳細に説明する。
実施例
ニコチン低減剤を充填する容器（１）として、素材にポリエチレンが使用された内容量２０ｇの円柱形の容器（縦８ｃｍ、直径３ｃｍ）を選択し、塗布部（３）には直径１０ｍｍ、厚さ３ｍｍのスポンジを選択し、ポリエチレンで成型した塗布部台（５）（直径１５ｍｍ）に接着剤で貼り付け、塗布部台（５）を蓋（２）に取り付け、容器（１）の内部側にある塗布部台（５）に管（６）（直径５ｍｍ、長さ５ｃｍ）を接続した。そして、容器（１）内部にニコチン低減剤（７）を２０ｇ充填し、塗布部（３）の周辺に直径１．５ｃｍ、高さ５ｍｍの液だれ防止用の枠（１０）を設けた蓋（２）をし、液だれ防止用の枠（１０）を隙間なく覆う内蓋（９）を設けたキャップ（８）をかぶせ、本考案に係るニコチン低減剤用容器とした。
【００１５】
尚、ニコチン低減剤（７）は、水飴を主体としてクエン酸、香料、着色料を添加し、粘度１５００ｍＰａ・ｓに調製したものである。
【００１６】
喫煙時にタバコを取り出し、本考案に係るニコチン低減剤用容器の塗布部（３）にタバコのフィルター部を押しつけ、容器（１）の側面を軽く押さえることで、適量のニコチン低減剤が塗布部（３）からフィルター部へ浸潤した。容器（１）の塗布部（３）周辺にも液だれは見られず、非常に簡便にニコチン低減剤（７）をタバコのフィルター部へ塗布することができた。
【図面の簡単な説明】
【００１７】
【図１】ニコチン低減剤用容器の全体図
【図２】ニコチン低減剤用容器の塗布部（スポンジを用いたもの）
【図３】ニコチン低減剤用容器の塗布部（突起状にしたもの）
【図４】ニコチン低減剤用容器の塗布部（受け皿状にしたもの）
【符号の説明】
【００１８】
（１）ニコチン低減剤用容器
（２）ニコチン低減剤用容器の蓋
（３）塗布部
（４）穴
（５）塗布部台
（６）管
（７）ニコチン低減剤
（８）キャップ
（９）塗布部を密閉する内蓋
（１０）液だれ防止用の枠
【図１】
0003104182.tif 000003
【図２】
0003104182.tif 000004
【図３】
0003104182.tif 000005
【図４】
0003104182.tif 000006